(57)【要約】【課題】飲酒時の運転者に表れる視覚症状を模擬する画像を容易に得る。【解決手段】ドライビングシミュレータにおいて操作者が操作する運転に応じた情景変化の画像を生成する画像生成装置である。表示装置で表示する領域より大きい元画像を生成し、当該生成した元画像について中央の所定位置を原点として、あらかじめ定めた範囲で前記画像を平行移動及び回転するようにして、画像を表示装置の表示領域内で表示できる大きさの領域とした画像を再生成する。画像生成装置は、元画像の所定範囲毎の画素を異なる方向に移動させること、元の画像の各画素の周囲の画素に重さを与えて、各画素と色混合すること、元の画像を平行移動した画像を再生成し、元の画像と再生成した画像とを所定の割合で混合することもできる。【選択図】  図1
2014109972.tif 000002
【特許請求の範囲】
【請求項１】
ドライビングシミュレータにおいて操作者が操作する運転に応じた情景変化の画像を生成する画像生成装置であって、
表示装置で表示する領域より大きい元画像を生成し、当該生成した元画像について中央の所定位置を原点として、あらかじめ定めた範囲で前記画像を平行移動及び回転し、表示装置の表示領域内で表示できる大きさの領域とした画像を再生成することを特徴とする画像生成装置。
【請求項２】
ドライビングシミュレータにおいて操作者が操作する運転に応じた情景変化の画像を生成する画像生成装置であって、
表示装置で表示する領域より大きい元画像を生成し、当該生成した元画像の所定範囲毎の画素を所定の範囲毎に異なる方向に所定の距離だけ移動して、画像を表示装置の表示領域内で表示できる大きさの領域とした画像を再生成することを特徴とする画像生成装置。
【請求項３】
ドライビングシミュレータにおいて操作者が操作する運転に応じた情景変化の画像を生成する画像生成装置であって、
表示装置で表示する領域より大きい元画像を生成し、当該生成した元画像について各画素の周辺に重さを与えてその画素の色を混合して新たな画素による画像を再生成し、再生成した画像を表示装置の表示領域内で表示できる大きさの領域とすることを特徴とする画像生成装置。
【請求項４】
各画素の周辺に与える重さが、元画像の中央部の画素について比較的小さくし、周辺部の画素について比較的大きくしたことを特徴とする請求項３に記載の画像生成装置。
【請求項５】
ドライビングシミュレータにおいて操作者が操作する運転に応じた情景変化の画像を生成する画像生成装置であって、
表示装置で表示する領域より大きい元画像を生成し、当該生成した元画像について中央の所定位置を原点として、あらかじめ定めた範囲で前記画像を平行移動した画像を生成し、元画像と平行移動した画像とを所定の割合で混合して新たな画像を再生成し、再生成した画像を表示装置の表示領域内で表示できる大きさの領域とすることを特徴とする画像生成装置。
【請求項６】
請求項１及び請求項２及び請求項３又は請求項４のいずれか１及び請求項５に記載の画像生成装置を備えることを特徴とする画像生成装置。
【請求項７】
模擬運転状況により、平行移動及び回転移動を変化することを特徴とする請求項１記載の画像生成装置。
【請求項８】
模擬運転状況により、異なる方向に所定の距離だけの移動を変化することを特徴とする請求項２記載の画像生成装置。
【請求項９】
模擬運転状況により、各画素の周辺に与える重さを変化することを特徴とする請求項３又は請求項４のいずれか１に記載の画像生成装置。
【請求項１０】
模擬運転状況により、平行移動を変化することを特徴とする請求項５記載の画像生成装置。
【請求項１１】
請求項７及び請求項８及び請求項９及び請求項１０に記載の画像生成装置を備えることを特徴とする画像生成装置。
【発明の詳細な説明】
【技術分野】
【０００１】
本発明は、ドライビングシミュレータにおいて操作者が操作する運転に応じた情景変化の画像を生成する画像生成装置に関し、飲酒運転の危険性を教育するために、飲酒運転状況を模擬する運転者が見る情景を生成するものである。
【背景技術】
【０００２】
飲酒運転の危険性を教育するため、従来の講習用シミュレータでは、飲酒状態の視覚症状として視野狭窄を企図したが、使用者からは表現が非現実的であり、飲酒運転の危険性に対して説得力がないとの評価がされていた。
【０００３】
飲酒の視覚の影響について、視力の低下等の抽象的な症状としては一般的にいわれているが、具体的な症状を示した研究は少ない。そのため、学術的な根拠が得にくいという難しさがある。本発明者は、現時点で想定される飲酒時の視覚症状を模擬した画像加工処理（画像フィルター）の試作を行い、次に実験により飲酒時の視覚に近いものとなっていると評価される画像加工処理を抽出した。
【発明の概要】
【発明が解決しようとする課題】
【０００４】
解決しようとする問題点は、飲酒時の運転者に表れる視覚症状を模擬する画像を容易に得ることが困難な点である。
【課題を解決するための手段】
【０００５】
請求項１に係る発明は、ドライビングシミュレータにおいて操作者が操作する運転に応じた情景変化の画像を生成する画像生成装置であって、表示装置で表示する領域より大きい元画像を生成し、当該生成した元画像について中央の所定位置を原点として、あらかじめ定めた範囲で前記画像を平行移動及び回転し、表示装置の表示領域内で表示できる大きさの領域とした画像を再生成することを特徴とするものである。
【０００６】
請求項２に係る発明は、ドライビングシミュレータにおいて操作者が操作する運転に応じた情景変化の画像を生成する画像生成装置であって、表示装置で表示する領域より大きい元画像を生成し、当該生成した元画像の所定範囲毎の画素を所定の範囲毎に異なる方向に所定の距離だけ移動して、画像を表示装置の表示領域内で表示できる大きさの領域とした画像を再生成することを特徴とするものである。
【０００７】
請求項３に係る発明は、ドライビングシミュレータにおいて操作者が操作する運転に応じた情景変化の画像を生成する画像生成装置であって、表示装置で表示する領域より大きい元画像を生成し、当該生成した元画像について各画素の周辺に重さを与えてその画素の色を混合して新たな画素による画像を再生成し、再生成した画像を表示装置の表示領域内で表示できる大きさの領域とすることを特徴とするものである。
【０００８】
請求項４に係る発明は、請求項３に記載の画像生成装置において、各画素の周辺に与える重さが、元画像の中央部の画素について比較的小さくし、周辺部の画素について比較的大きくしたことを特徴とするものである。
【０００９】
請求項５に係る発明は、ドライビングシミュレータにおいて操作者が操作する運転に応じた情景変化の画像を生成する画像生成装置であって、表示装置で表示する領域より大きい元画像を生成し、当該生成した元画像について中央の所定位置を原点として、あらかじめ定めた範囲で前記画像を平行移動した画像を生成し、元画像と平行移動した画像とを所定の割合で混合して新たな画像を再生成し、再生成した画像を表示装置の表示領域内で表示できる大きさの領域とすることを特徴とするものである。
【００１０】
請求項６に係る発明は、請求項１及び請求項２及び請求項３又は請求項４のいずれか１及び請求項５に記載の画像生成装置を備えることを特徴とするものである。
【００１１】
請求項７に係る発明は、請求項１記載の画像生成装置において、模擬運転状況により、平行移動及び回転移動を変化することを特徴とするものである。
【００１２】
請求項８に係る発明は、請求項２記載の画像生成装置において、模擬運転状況により、異なる方向に所定の距離だけの移動を変化することを特徴とするものである。
【００１３】
請求項９に係る発明は、請求項３又は請求項４のいずれか１に記載の画像生成装置において、模擬運転状況により、各画素の周辺に与える重さを変化することを特徴とするものである。
【００１４】
請求項１０に係る発明は、請求項５記載の画像生成装置において、模擬運転状況により、平行移動を変化することを特徴とするものである。
【００１５】
請求項１１に係る発明は、請求項７及び請求項８及び請求項９及び請求項１０に記載の画像生成装置を備えることを特徴とするものである。
【発明の効果】
【００１６】
請求項１に係る画像生成装置によると、生成した元画像について中央の所定位置を原点として、あらかじめ定めた範囲で前記画像を平行移動及び回転するようにして、画像を表示装置の表示領域内で表示できる大きさの領域とした画像を再生成するから、飲酒によるふらつきとめまい状態の視覚症状が示す画像を模擬することができる。
【００１７】
請求項２に係る画像生成装置によると、生成した元画像の所定範囲毎の画素を所定の範囲毎に異なる方向に所定の距離だけ移動して、画像を表示装置の表示領域内で表示できる大きさの領域とした画像を再生成するから、飲酒による画面全体の歪み状態の視覚症状が示す画像を模擬することができる。
【００１８】
請求項３に係る画像生成装置によると、生成した元画像について各画素の周辺に重さを与えてその画素の色を混合して新たな画素による画像を再生成し、再生成した画像を表示装置の表示領域内で表示できる大きさの領域とするから、飲酒によるかすんだ状態の視覚症状が示す画像を模擬することができる。
【００１９】
請求項４に係る画像生成装置によると、各画素の周辺に与える重さが、元画像の中央部の画素について比較的小さくし、周辺部の画素について比較的大きくしたから、飲酒による周囲がかすんだ視野狭窄状態の視覚症状が示す画像を模擬することができる。
【００２０】
請求項５に係る画像生成装置によると、生成した元画像について中央の所定位置を原点として、あらかじめ定めた範囲で前記画像を平行移動した画像を生成し、元画像と平行移動した画像とを所定の割合で混合して新たな画像を再生成し、再生成した画像を表示装置の表示領域内で表示できる大きさの領域とするから、飲酒による複視状態の視覚症状が示す画像を模擬することができる。
【００２１】
請求項６に係る画像生成装置によると、請求項１及び請求項２及び請求項３又は請求項４のいずれか１及び請求項５に記載の画像生成装置の作用をし、飲酒による視覚症状が示す画像を模擬することができる。
【００２２】
請求項７に係る画像生成装置によると、ふらつきとめまい状態を模擬運転状況により、変化することができる。
【００２３】
請求項８に係る画像生成装置によると、画面全体の歪み状態を模擬運転状況により、変化することができる。
【００２４】
請求項９に係る画像生成装置によると、かすんだ状態または周囲がかすんだ視野狭窄状態を模擬運転状況により、変化することができる。
【００２５】
請求項１０に係る画像生成装置によると、平行移動の量を変化して、複視状態を模擬運転状況により、変化することができる。
【００２６】
請求項１１に係る画像生成装置によると、請求項７及び請求項８及び請求項９及び請求項１０に記載の画像生成装置の作用をし、飲酒による視覚症状が示す画像を模擬することができる。
【図面の簡単な説明】
【００２７】
【図１】ドライビングシミュレータの一実施例の機能ブロック図である。
【図２】画像加工処理前の画像の例を説明する図である。
【図３】平行移動と回転の処理をされた画像の例を説明する図である。
【図４】乱屈折処理された画像の例を説明する図である。
【図５】視野狭窄処理された画像の例を説明する図である。
【図６】複視処理された画像の例を説明する図である。
【図７】飲酒処理された画像の例を説明する図である。
【図８】画像の屈折を説明する図である。
【図９】画像の画素の色混合の重さを説明する図である。
【発明を実施するための最良の形態】
【００２８】
飲酒時の運転者に表れる視覚症状を模擬する画像を得るという目的を、もとの画像を画像加工処理することにより、現実感のあるものとすることができた。
【実施例１】
【００２９】
図１は、本発明を実施するドライビングシミュレータの一実施例の機能ブロック図であり、１０１はハンドル、アクセル、ブレーキ等の模擬操作機器、１０２は予め模擬車両の窓外からみえる情景の電子データを格納するデータベース、１０３は模擬操作機器１０１の操作に応じて自動車の運動を計算する運動計算部、１０４は運動計算部１０３が計算した結果に従って、仮定した状況内で動き自動車窓外に見える事物の画像を生成する画像生成装置、１０５は画像生成装置１０４で生成した画像を表示する表示装置である。
画像生成装置１０４は第１の画像加工処理部１０４ａ、第２の画像加工処理部１０４ｂ、第３の画像加工処理部１０４ｃ、第４の画像加工処理部１０４ｄを備える。
画像生成装置１０４は、第１のフレームメモリ１０４Ｍ１に元画像を生成し、第１〜第４の画像加工処理部１０４ａ〜１０４ｄで加工処理された画像を第２フレームメモリ１０４Ｍ２で得る。
【００３０】
画像生成装置１０４が生成する画像の画素数は、表示装置１０５が表示する画素数より大きい。すなわち、表示装置１０５は、画像生成装置１０４で生成した画像の部分を表示することになる。
【００３１】
第１の画像加工処理部１０４ａは、画像生成装置１０４が第１のフレームメモリ１０４Ｍ１に生成した元画像について中央の所定位置を原点として、あらかじめ定めた範囲で前記画像を平行移動及び回転し、第２のフレームメモリ１０４Ｍ２に格納し、画像を表示装置の表示領域内で表示できる大きさの領域とした画像を再生成する。
第２の画像加工処理部１０４ｂは、画像生成装置１０４が生成した元画像の所定範囲毎の画素を所定の範囲毎に異なる方向に所定の距離だけ移動して、画像を表示装置の表示領域内で表示できる大きさの領域とした画像を再生成する。
第３の画像加工処理部１０４ｃは、画像生成装置１０４が生成した元画像について各画素の周辺に重さを与えてその画素の色を混合して新たな画素による画像を再生成し、再生成した画像を表示装置１０５の表示領域内で表示できる大きさの領域とする。
第４の画像加工処理部１０４ｄは、画像生成装置１０４が生成した元画像について中央の所定位置を原点として、あらかじめ定めた範囲で前記画像を平行移動した画像を再生成し、元画像と再生成した画像とを所定の割合で混合して新たな画像を再生成し、再生成した画像を表示装置の表示領域内で表示できる大きさの領域とする。
【００３２】
模擬運転運用開始前に、教官が運転者の飲酒習慣、飲酒量等を含む運転性行を質問しておき、この質問の回答に基づいて、模擬すべき画像の加工処理の程度を決め、これをパラメータＰとして、画像生成装置１０４に設定しておく。
【００３３】
模擬運転を開始すると、模擬自動車の速度及び方向に応じてデータベース１０２から読み出したデータより画像生成装置１０４が、例えば図２のような、窓外の景色を変化させた画像を表示装置１０５に表示する。図２は飲酒の影響がない状態の画像である。このとき、画像生成装置１０４は、表示と同時又は一定の時間経過後に、パラメータＰ１に応じて第１の画像加工処理部１０４ａを機能させる。第１〜第４の画像加工処理部１０４ａ〜１０４ｄが作用しないときは、表示装置１０５の画面の中央点（あるいはその近傍）の画素位置と画像生成装置１０４が生成する画像の面の中央点（あるいはその近傍）の画素位置とは、それぞれを座標の原点とし、原点を一致した状態で表示する。したがって、仮に表示装置１０５の画面を移動回転したときに、画像生成装置１０４が生成する画像面内で移動回転する限り、表示装置１０５は画像生成装置１０４の画像を表示することができる。
第１の画像加工処理部１０４ａは、画像生成装置１０４が生成した元画像の全体を平行移動及び回転するように計算処理するのであるが、平行移動の距離及び回転の大きさをパラメータＰ１（平行移動させる方向により例えば左方向には−Ｐ１ｐ、右方向には＋Ｐ１ｐを与える、回転させる方向により反時計回りには−Ｐ１ｗ、時計回りには＋Ｐ１ｗを与える）により決める。パラメータＰ１が設定可能な平行移動及び回転の量は、これら平行移動及び回転の加工処理により再生した画像が表示装置１０５により表示可能な範囲の移動回転によるものである。
第１の画像加工処理部１０４ａは、画像生成装置１０４が生成した元画像の各画素の位置（ｘ，ｙ）に対し、パラメータＰ１ｐにより決められる量の平行移動範囲内で、元画像の原点から所定方向に平行移動の計算をし、移動計算により得られた位置を表示装置１０５の座標に合わせて表示装置１０５において表示する。模擬自動車の移動により窓外の景色が変化し、パラメータＰ１ｐを＋Ｐ１ｐ〜−Ｐ１ｐ間で周期的にわずかずつ変化して、パラメータ（＋Ｐ１ｐ〜−Ｐ１ｐ）の範囲内で、窓外の景色の画像を周期的に平行移動させる。
回転表示する場合は、元の画像の画面中心を原点としてパラメータＰ１ｗにより決められる角度の範囲内で、回転計算をし、回転計算により得られた位置を表示装置１０５の座標に合わせて表示装置１０５において表示する。模擬自動車の移動により窓外の景色が変化し、パラメータＰ１ｗを＋Ｐ１ｗ〜−Ｐ１ｗ間で周期的にわずかずつ変化して、パラメータ（＋Ｐ１ｗ〜−Ｐ１ｗ）の範囲内で、窓外の景色の画像を周期的に平行移動させる。
上記説明では、平行移動の計算と回転の計算とをそれぞれ独立に行っているが、平行移動計算結果に回転計算を施し、又は回転計算結果に平行移動計算を施して、位置移動した新たな座標上に元の画像の画素色を表示させても良い。
図３に平行移動と回転の処理をした画像の例を示し、画像の平行移動又は回転移動により、飲酒時の注点の錯乱を体感させることができる。
【００３４】
第２の画像加工処理部１０４ｂは、画像生成装置１０４が生成した元画像を与えられたパラメータＰ２に応じて乱屈折するように計算処理する。第２の画像加工処理部１０４ｂは、元画像の領域面を所定の範囲で分割し、その領域のおのおのにその領域に含まれる画像を移動する方向及び量を定めておく。移動方向及び量を乱屈折フィルター１０４ｂＭに格納しておく。その格納状態の模式図を図８に示す。乱屈折フィルターは移動する量の大きさすなわち強度の段階により数種あり、パラメータＰ２の切替によりその移動方向および強度を変えることができる。運用時のパラメータＰ２の設定は、教官が運転者の飲酒習慣等の属性によりあらかじめ決めておく。
第２の画像加工処理部１０４ｂは、画像生成装置１０３が画像を生成すると、その画像について乱屈折フィルター１０４ｂＭから読み出した乱屈折フィルターに応じて、画像の位置（ｘ，ｙ）移動の計算を行う。元の画像の各画素は計算された新たな位置（ｘ，ｙ）において表示され、表示装置１０５に元の画像が、画面が歪んだものとして表示される。この歪みは、画面全体について乱屈折フィルターを用いることにより、施すことができる。元の画像の移動可能範囲は表示装置１０５の画面内で元の画像を移動したときに元の画像が表示装置１０５の画面から外れない範囲である。
模擬自動車の移動により窓外の景色が変化し、パラメータＰ２に応じた歪曲した画像を体感させることができる。あるいは、パラメータＰ２を＋Ｐ２ｍ〜＋Ｐ２ｎ（ｍ＞ｎ≧０，ｍ，ｎは歪曲の強度の程度を表し、Ｐ２０は歪曲がない状態を与えるパラメータ）間で周期的かつわずかな変化にして、パラメータ（＋Ｐ２ｍ〜〜＋Ｐ２ｎ）の範囲内で、窓外の景色の画像を周期的に歪曲の程度が大きいものから歪曲の小さいあるいはないものの間に変化させるようにしても良い。
図４に乱屈折の処理をした画像の例を示し、画像の歪みにより、飲酒時の平衡感覚の錯乱すなわち乱屈折を体感させることができる。
第２の画像加工処理部１０４ｂによる乱屈折の処理は、第１の画像加工処理部１０４ａによる平行・回転移動の処理の後に行ってもよく又は独立に行っても良い。
【００３５】
第３の画像加工処理部１０４ｃは、画像生成装置１０４が生成した元画像を与えられたパラメータＰ３に応じて視野狭窄するように計算処理する。視野狭窄の範囲をパラメータＰ３により決める。パラメータＰ３が設定可能な視野狭窄の範囲は、視野狭窄の加工処理により再生した画像が表示装置１０５により表示可能な範囲である。
第３の画像加工処理部１０４ｃは、３×３空間フィルターを用いた混ぜ合わせ処理、すなわち、画像生成装置１０４が生成した元画像の各画素の位置（ｘ，ｙ）に対し、周囲８箇所の画素の色を与えられた重さに応じた色混合計算をして、元の画像の各画素の色をぼかすことができる。重さはパラメータＰ３により与えられ、３×３空間フィルターの例を図９に示す。図９の例では、中心の画素の混合の重さを“０．２”、その周囲８箇所の画素の混合の重さをそれぞれ“０．１”にしてある。ぼかしの程度は、画面の中心から離れるほどぼかしを大きくするために、画面中心から大きく離れた位置（ｘ，ｙ）に対するパラメータＰ３により与えられる周囲８箇所の重さを大きくし、中心から比較的近くの位置に対する重さを小さくする。視野の中心及びその近傍に対しては、重さを０にして、ぼかしをなくする。元画像の画素から重さに応じた色混合計算をし、色混合計算により得られた色による画像を新たな画像として表示装置１０５において表示する。表示装置１０５の画面の周辺の画素はその画面外の画素も色混合に用いるから、混合に用いる元の画像は表示装置で表示する領域より大きいものとする。模擬自動車の移動により窓外の景色が変化し、パラメータＰ３に応じた周辺が見えにくくなる画像を体感させることができる。あるいは、パラメータＰ３を＋Ｐ３ｍ〜＋Ｐ３ｎ（ｍ＞ｎ≧０，ｍ，ｎは視野狭窄の強度の程度を表し、Ｐ３０は視野狭窄がない状態を与えるパラメータ）間で周期的にわずかずつ変化して、パラメータ（＋Ｐ３ｍ〜＋Ｐ３ｎ）の範囲内で、窓外の景色の画像を周期的に視野狭窄の程度がＰ３による強度の大きいものから視野狭窄の小さいあるいはないものの間に変化させるようにしても良い。
図５に視野狭窄処理をした画像の例を示し、画像の歪みにより、飲酒時の周辺視野の歪みすなわち視野狭窄を体感させることができる。
第３の画像加工処理部１０４ｃによる視野狭窄の処理は、第１の画像加工処理部１０４ａによる平行・回転移動を施した画像について、または第２の画像加工処理部１０４ｂによる乱屈折加工を施した画像について、または第１の画像加工処理部１０４ａによる平行・回転移動及び第２の画像加工処理部１０４ｂによる乱屈折加工を施した画像について行ってもよく、又は独立に行っても良い。
【００３６】
第４の画像加工処理部１０４ｄは、画像生成装置１０４が生成した元画像を与えられたパラメータＰ４に応じて複視の画像にするように計算処理する。第４の画像加工処理部１０４ｄは、複視画像加工処理（複視フィルター）のパラメータＰ４により、元の画像全体を平行移動し元の画像と移動処理した画像とを混合計算することにより得る。複視フィルターのパラメータＰ４は元の画像を移動する最大量（距離）、方向を決める。第４の画像加工処理部１０４ｄは、パラメータＰ４の切替によりその移動方向および距離を変えることができる。運用時のパラメータＰ４の設定は、教官が運転者の飲酒習慣等の属性によりあらかじめ決めておく。第４の画像加工処理部１０４ｄは、画像生成装置１０３が画像を生成すると、その画像について複視フィルターのパラメータＰ４に応じて、第１の画像加工処理部１０４ａと同様に、画像の位置（ｘ，ｙ）移動の計算を行う。画像生成装置１０４の元の画像を平行移動させるから、平行移動させた画像を表示装置１０５において表示する際に表示装置１０５の表示面内において移動させる必要がある。
第４の画像加工処理部１０４ｄは、画像生成装置１０４が生成した元画像の各画素の位置（ｘ，ｙ）に対し、パラメータＰ４により決められる量の平行移動範囲内で、元画像の原点から所定方向に平行移動の計算をし、元の画像に、移動計算により得られた位置の画像を混合して、表示装置１０５において表示する。このとき、元の画像の画素の色と移動により得られた画像の画素の色とは、例えば１／２ずつの割合で混合して、複視を表示する。模擬自動車の移動により窓外の景色が変化し、パラメータＰ４を＋Ｐ４〜−Ｐ４間で周期的変化しかつわずかずつ変化して、パラメータ（＋Ｐ４〜−Ｐ４）の範囲内で、窓外の景色の画像を周期的に平行移動させるようにしてもよい。
図６に複眼処理をした画像の例を示し、飲酒による複視狭窄を体感させることができる。
第４の画像加工処理部１０４ｄによる複視の処理は、第１の画像加工処理部１０４ａによる平行・回転移動を施した画像について、または第２の画像加工処理部１０４ｂによる乱屈折加工を施した画像について、または第３の画像加工処理部１０４ｃによる視野狭窄加工を施した画像について、またはこれら平行・回転移動、乱屈折、視野狭窄の組み合わせ処理による画像について行ってもよく、又は独立に行っても良い。
【００３７】
元の画像に対する第１の画像加工処理部１０４ａの計算処理後に、その計算に基づいて第２の画像加工処理部１０４ｂによる計算処理をし、その計算に基づいて第３の画像加工処理部１０４ｃによる計算処理をし、さらに、その計算に基づいて第４の画像加工処理部１０４ｄによる計算処理を順次おこない、その計算結果による画像を表示装置１０５に表示する。第１〜第４の画像加工処理部１０４ａ〜ｄの各作用は各画像加工処理部１０４ａ〜ｄにおいて説明した通りであるが、第２〜第４の画像加工処理部１０４ｂ〜ｄの計算対象は、元の画像ではなく、第２の画像加工処理部１０４ｂは第１の画像加工処理部１０４ａの計算結果、第３の画像加工処理部１０４ｃは第２の画像加工処理部１０４ｂの計算結果、第４の画像加工処理部１０４ｄは第３の画像加工処理部１０４ｃの計算結果である。このようにして、図７のように、平行移動回転、乱屈折、視野狭窄及び複眼の影響を受けた、飲酒による視覚症状の画像例を得ることができる。第１〜第４の画像加工処理部１０４ａ〜ｄの上記実施例の作用により、飲酒による視覚症状を体感させることができ、模擬自動車の移動により窓外の景色が変化するときにも上記実施例により飲酒による視覚症状を体感させることができる。
【符号の説明】
【００３８】
１０１  模擬操作機器
１０２  データベース
１０３運動計算部
１０４  画像生成装置
１０４ａ  第１の画像加工処理部
１０４ｂ  第２の画像加工処理部
１０４ｃ  第３の画像加工処理部
１０４ｄ  第４の画像加工処理部
１０５  表示装置
【図１】
2014109972.tif 000003
【図８】
2014109972.tif 000004
【図９】
2014109972.tif 000005
【図２】
2014109972.tif 000006
【図３】
2014109972.tif 000007
【図４】
2014109972.tif 000008
【図５】
2014109972.tif 000009
【図６】
2014109972.tif 000010
【図７】
2014109972.tif 000011